(57)【要約】【課題】短時間で効率よく人体の局部を乾燥することができる乾燥装置およびそれを備えた衛生洗浄装置を提供することである。【解決手段】乾燥ノズル１は圧縮空気供給部１１１および圧縮空気噴出部１１２により構成され、圧縮空気供給部１１１の先端に圧縮空気噴出部１１２がＴ字状に一体的に設けられている。圧縮空気供給部１１１および圧縮空気噴出部１１２は内部に圧縮空気の通路を有する。圧縮空気噴出部１１２の上面には、圧縮空気噴出部１１２の長手方向に沿って複数の噴出口１１０が設けられている。また、圧縮空気噴出部１１２の上面には複数の噴出口１１０から噴出される圧縮空気の周囲を取り囲むように周壁部１２１が設けられる。さらに、周壁部１２１の下端には、複数の空気吸入口１２０が形成される。【選択図】　　　　図７
2004092322.tif 000002
【特許請求の範囲】
【請求項１】
被乾燥面を乾燥する乾燥装置であって、
気体を加圧する加圧手段と、
前記加圧手段により加圧された気体を噴出する気体噴出手段とを備え、
前記気体噴出手段は、
前記気体を噴出する噴出口を有するノズルと、
前記噴出口から噴出された気体の周囲を取り囲むように前記ノズルに設けられた周壁部と、
前記周壁部内に外気を吸入するための開口部とを有することを特徴とする乾燥装置。
【請求項２】
前記周壁部は、前記ノズルの前記噴出口の周囲の面から延びるように設けられ、
前記開口部は、前記周壁部に形成されたことを特徴とする請求項１記載の乾燥装置。
【請求項３】
前記周壁部は、前記ノズルの周囲を間隙をあけて取り囲むように設けられ、
前記開口部は、前記ノズルと前記周壁部との間の間隙であることを特徴とする請求項１記載の乾燥装置。
【請求項４】
前記噴出口が被乾燥面に対向しかつ前記開口部が被乾燥面に対向しない状態と、前記開口部が被乾燥面に対向しかつ前記噴出口が被乾燥面に対向しない状態とに前記気体噴出手段を切り替える切替手段とをさらに備えたことを特徴とする請求項１〜３のいずれかに記載の乾燥装置。
【請求項５】
前記開口部から吸入された気体に含まれる水分を除去するための水分除去手段と、
前記ノズルの噴出口から噴出された気体を前記開口部側に導く気体流路とをさらに備えたことを特徴とする請求項１〜４のいずれかに記載の乾燥装置。
【請求項６】
前記水分除去手段は、気体の水分を吸収する水分吸収部材であることを特徴とする請求項５記載の乾燥装置。
【請求項７】
前記水分除去手段は、気体を水分を加熱して蒸発させる加熱装置であることを特徴とする請求項５または６記載の乾燥装置。
【請求項８】
着座可能な便座部と、洗浄水を噴出する洗浄水噴出手段と、洗浄後の被乾燥面を乾燥する乾燥装置とを備え、
前記乾燥装置は、
気体を加圧する加圧手段と、
前記加圧手段により加圧された気体を噴出する気体噴出手段とを備え、
前記気体噴出手段は、
前記気体を噴出する噴出口を有するノズルと、
前記噴出口から噴出された気体の周囲を取り囲むように前記ノズルに設けられた周壁部と、
前記周壁部内に外気を吸入するための開口部とを有することを特徴とする衛生洗浄装置。
【請求項９】
前記気体噴出手段は、前記便座部の後端部内側から前後方向に進退移動させる進退動作手段をさらに含むことを特徴とする請求項８記載の衛生洗浄装置。
【請求項１０】
前記乾燥装置は、前記噴出口が被乾燥面に対向しかつ前記開口部が被乾燥面に対向しない状態と、前記開口部が被乾燥面に対向しかつ前記噴出口が被乾燥面に対向しない状態とに前記気体噴出手段を切り替える切替手段とをさらに含むことを特徴とする請求項８または９記載の乾燥装置。
【請求項１１】
前記気体噴出手段は、加圧手段により加圧された気体の通路を有する圧縮気体供給部と、前記気体の通路を通して供給される気体を噴出する噴出口を有する圧縮気体噴出部とを含み、
前記切替手段は、
前記圧縮気体噴出部を前記進退方向を軸にして回転させることができる回転動作手段を含むことを特徴とする請求項１０記載の衛生洗浄装置。
【請求項１２】
前記乾燥装置は、
前記開口部から吸入された気体に含まれる水分を除去するための水分除去手段と、
前記ノズルの噴出口から噴出された気体を前記開口部側に導く気体流路とをさらに含むことを特徴とする請求項８〜１１のいずれかに記載の乾燥装置。
【請求項１３】
前記気体噴出手段は、前記便座部の後端部内側から前記進退方向に延び、加圧手段により加圧された気体の通路を有する圧縮気体供給部と、
前記圧縮気体供給部から両側方に延び、複数の噴出口を有する圧縮気体噴出部とを含むことを特徴とする請求項９記載の衛生洗浄装置。
【請求項１４】
気体を加熱する加熱手段と、
前記加熱手段により加熱された温風を噴出する温風噴出口とをさらに備えたことを特徴とする請求項８〜１３のいずれかに記載の衛生洗浄装置。、
【請求項１５】
前記温風噴出口は、前記便座部の内側両側部に設けられたことを特徴とする請求項８〜１４のいずれかに記載の衛生洗浄装置。
【発明の詳細な説明】
【０００１】
【発明の属する技術分野】
本発明は、空気を噴出させることにより人体を乾燥させる乾燥装置およびそれを備えた衛生洗浄装置に関する。
【０００２】
【従来の技術】
人体の局部を洗浄する衛生洗浄装置においては、使用者の好みに応じた洗浄を実現すべく各種の機能が案出されてきた。使用者は、各種機能を用いた衛生洗浄装置を用いて局部洗浄を行い、トイレットペーパー等の紙により局部に付着した水滴の除去を行っていた。
【０００３】
しかし、近年、トイレットペーパー等の紙の代替として、乾燥装置が用いられている（例えば、特許文献１参照）。図１７は従来の乾燥装置を備えた衛生洗浄装置の一例を示す模式的断面図である。
【０００４】
図１７に示すように、衛生洗浄装置は、本体部８００、ノズル部８０１、便座部８０２、蓋部８０３、便器８０４および乾燥装置８０５を含む。
【０００５】
また、乾燥装置８０５は、本体部８００のケース８０６内に設けられ、ファン８０７、ヒータ８０８および噴出口８０９から構成される。
【０００６】
従来の衛生洗浄装置においては、使用者８１０がノズル部８０１により局部を洗浄水で洗浄した後、ファン８０７およびヒータ８０８の働きにより温めた空気を噴出口８０９より使用者８１０の局部に噴出する。
【０００７】
その結果、使用者８１０は、トイレットペーパー等の紙を使用せず、快適に局部の洗浄および乾燥を行うことができる。
【０００８】
【特許文献１】
特開平６−１４６３７７号公報
【０００９】
【発明が解決しようとする課題】
しかしながら、従来の乾燥装置を備えた衛生洗浄装置においては、長時間温風を局部に吹付けないと人体の局部に付着した水分を取り除くことができない。そのため、人体の局部を乾燥させるために多くの時間が必要であった。
【００１０】
また、人体の局部に吹付ける温風の温度を高くすれば、乾燥するために費やす時間を減少させることが可能であるが、局部に高温の温風を吹付けることにより炎症が起こる場合もある。
【００１１】
本発明の目的は、短時間で効率よく人体の局部を乾燥することができる乾燥装置およびそれを備えた衛生洗浄装置を提供することである。
【００１２】
【課題を解決するための手段】
本発明に係る乾燥装置は、被乾燥面を乾燥する乾燥装置であって、気体を加圧する加圧手段と、加圧手段により加圧された気体を噴出する噴出手段とを備え、噴出手段は、気体を噴出する噴出口を有するノズルと、噴出口から噴出された気体の周囲を取り囲むようにノズルに設けられた周壁部と、周壁部内に外気を吸入するための開口部とを有するものである。
【００１３】
第１の発明に係る乾燥装置においては、加圧手段により気体が加圧され、加圧された気体が噴出手段のノズルに設けられた噴出口から噴出される。そして、周壁部により噴出口から噴出された気体の周囲が取り囲まれ、開口部が周壁部内に外気を吸入するために設けられる。
【００１４】
この場合、噴出口から気体が噴出されることにより周壁部内に負圧が発生し、その負圧により周壁部内に開口部から外気が吸入され、噴出口から噴出された気体とともに被乾燥面に吹き付けられる。その結果、多量の気体を被乾燥面に対して吹き付けることができるので、短時間で効率よく被乾燥面を乾燥させることができる。また、乾燥するために費やす時間を減少させることができるため、人体の局部に高温の温風を吹付けることにより起きる炎症を防止することができる。
【００１５】
（第２の発明）
第２の発明に係る乾燥装置は、第１の発明に係る乾燥装置の構成において、周壁部は、ノズルの噴出口の周囲の面から延びるように設けられ、開口部は、周壁部に形成されたものである。
【００１６】
この場合、周壁部に開口部が形成されるので、ノズルの噴出口から噴出される気体の側方から効率よく外気を吸入することができる。
【００１７】
（第３の発明）
第３の発明に係る乾燥装置は、第１の発明に係る乾燥装置の構成において、周壁部は、ノズルの周囲を間隙をあけて取り囲むように設けられ、開口部は、ノズルと周壁部との間の間隙である。
【００１８】
この場合、ノズルと周壁部との間の間隙が開口部となるので、ノズルの噴出口からの気体の噴出方向に対して後方から効率よく外気を吸入することができる。
【００１９】
（第４の発明）
第４の発明に係る乾燥装置は、第１〜第３のいずれかの発明に係る乾燥装置の構成において、噴出口が被乾燥面に対向しかつ開口部が被乾燥面に対向しない状態と、開口部が被乾燥面に対向しかつ噴出口が被乾燥面に対向しない状態とに気体噴出手段を切り替える切替手段とをさらに備えたものである。
【００２０】
この場合、噴出口を被乾燥面に対向させることおよび開口部を被乾燥面に対向させることを切替手段により切り替えることができる。したがって、被乾燥面に開口部を対向させることにより被乾燥面に付着した水滴を外気とともに吸引した後、被乾燥面に噴出口を対向させることにより被乾燥面に気体を吹き付けることができる。その結果、短時間で効率よく被乾燥面の乾燥を行うことができる。
【００２１】
（第５の発明）
第５の発明に係る乾燥装置は、第１〜第４のいずれかの発明に係る乾燥装置の構成において、開口部から吸入された気体に含まれる水分を除去するための水分除去手段と、ノズルの噴出口から噴出された気体を開口部側に導く気体流路とをさらに備えたものである。
【００２２】
この場合、被乾燥面に開口部を対向させることにより被乾燥面に付着した水滴が外気とともに吸引され、吸引された外気の水分を水分除去手段により除去された後、噴出口から噴出された気体とともに気体流路を通して開口部に導かれ、被乾燥面に吹き付けられる。その結果、短時間で効率よく被乾燥面の乾燥を行うことができる。
【００２３】
（第６の発明）
第６の発明に係る乾燥装置は、第５の発明に係る乾燥装置の構成において、水分除去手段は、気体の水分を吸収する水分吸収部材であるものである。
【００２４】
この場合、水分吸収部材により気体の水分を吸収することにより、被乾燥面から吸引された気体の水分を除去し、乾燥した気体を被乾燥面に吹き付けることができる。
【００２５】
（第７の発明）
第７の発明に係る乾燥装置は、第５または第６の発明に係る乾燥装置の構成において、水分除去手段は、気体を水分を加熱して蒸発させる加熱装置である。
【００２６】
この場合、加熱装置により気体の水分を加熱して蒸発させることにより、被乾燥面から吸引された気体の水分を除去し、乾燥した空気を被乾燥面に吹き付けることができる。
【００２７】
（第８の発明）
第８の発明に係る衛生洗浄装置は、着座可能な便座部と、洗浄水を噴出する洗浄水噴出手段と、洗浄後の被乾燥面を乾燥する乾燥装置とを備え、乾燥装置は、気体を加圧する加圧手段と、加圧手段により加圧された気体を噴出する気体噴出手段とを備え、気体噴出手段は、気体を噴出する噴出口を有するノズルと、噴出口から噴出された気体の周囲を取り囲むようにノズルに設けられた周壁部と、周壁部内に外気を吸入するための開口部とを有するものである。
【００２８】
第８の発明に係る衛生洗浄装置においては、便座部に着座した人体の局部に洗浄水噴出手段により洗浄水が噴出され、乾燥装置により洗浄後の被乾燥面が乾燥される。乾燥装置においては、加圧手段により気体が加圧され、加圧された気体が噴出手段のノズルに設けられた噴出口から噴出される。そして、周壁部により噴出口から噴出された気体の周囲が取り囲まれ、開口部が周壁部内に外気を吸入するために設けられる。
【００２９】
この場合、噴出口から気体が噴出されることにより周壁部内に負圧が発生し、その負圧により周壁部内に開口部から外気が吸入され、噴出口から噴出された気体とともに被乾燥面に吹き付けられる。その結果、多量の気体を被乾燥面に対して吹き付けることができるので、短時間で効率よく被乾燥面を乾燥させることができる。また、乾燥するために費やす時間を減少させることができるため、人体の局部に高温の温風を吹付けることにより起きる炎症を防止することができる。
【００３０】
（第９の発明）
第９の発明に係る衛生洗浄装置は、第８の発明に係る衛生洗浄装置の構成において、気体噴出手段は、便座部の後端部内側から前後方向に進退移動させる進退動作手段をさらに含むものである。
【００３１】
この場合、進退動作手段により便座部の後端部内側から前後方向に気体噴出手段を進退移動させることができるので、気体噴出手段の進退動作により被乾燥面の最適な箇所に気体を吹き付けることが可能である。また、乾燥時にのみ気体噴出手段を前進させ、乾燥時以外には気体噴出手段を後退させることができる。それにより、気体噴出手段に汚物が付着することが防止される。
【００３２】
（第１０の発明）
第１０の発明に係る衛生洗浄装置は、第８または第９の発明に係る衛生洗浄装置の構成において、乾燥装置は、噴出口が被乾燥面に対向しかつ開口部が被乾燥面に対向しない状態と、開口部が被乾燥面に対向しかつ噴出口が被乾燥面に対向しない状態とに気体噴出手段を切り替える切替手段とをさらに含むものである。
【００３３】
この場合、噴出口を被乾燥面に対向させることおよび開口部を被乾燥面に対向させることを切替手段により切り替えることができる。したがって、被乾燥面に開口部を対向させることにより被乾燥面に付着した水滴を外気とともに吸引した後、被乾燥面に噴出口を対向させることにより被乾燥面に気体を吹き付けることができる。その結果、短時間で効率よく被乾燥面の乾燥を行うことができる。
【００３４】
（第１１の発明）
第１１の発明に係る衛生洗浄装置は、第１０の発明に係る衛生洗浄装置の構成において、気体噴出手段は、加圧手段により加圧された気体の通路を有する圧縮気体供給部と、気体の通路を通して供給される気体を噴出する噴出口を有する圧縮気体噴出部とを含み、切替手段は、圧縮気体噴出部を進退方向を軸にして回転させることができる回転動作手段を含むものである。
【００３５】
この場合、噴出口を有する圧縮気体噴出部を進退方向を軸にして回転動作手段により回転させることができる。その結果、噴出口を被乾燥面に対向させることおよび開口部を被乾燥面に対向させることを回転動作手段により切り替えることができる。
【００３６】
（第１２の発明）
第１２の発明に係る衛生洗浄装置は、第８〜第１１のいずれかの発明に係る衛生洗浄装置の構成において、乾燥装置は、開口部から吸入された気体に含まれる水分を除去するための水分除去手段と、ノズルの噴出口から噴出された気体を開口部側に導く気体流路とをさらに含むものである。
【００３７】
この場合、被乾燥面に開口部を対向させることにより被乾燥面に付着した水滴が外気とともに吸引され、吸引された外気の水分を水分除去手段により除去された後、噴出口から噴出された気体とともに気体流路を通して開口部に導かれ、被乾燥面に吹き付けられる。その結果、短時間で効率よく被乾燥面の乾燥を行うことができる。
【００３８】
（第１３の発明）
第１３の発明に係る衛生洗浄装置は、第９の発明に係る衛生洗浄装置の構成において、気体噴出手段は、便座部の後端部内側から進退方向に延び、加圧手段により加圧された気体の通路を有する圧縮気体供給部と、圧縮気体供給部から両側方に延び、複数の噴出口を有する圧縮気体噴出部とを含むものである。
【００３９】
この場合、複数の噴出口を有する圧縮気体噴出部が、加圧された気体の通路を有する圧縮気体供給部から両側方に延びているので、気体噴出手段の進退動作を行うことにより広範囲の被乾燥面に対して気体を吹き付けることができる。その結果、より短時間で効率よく被乾燥面の乾燥を行うことができる。
【００４０】
（第１４の発明）
第１４の発明に係る衛生洗浄装置は、第８〜第１３のいずれかの発明に係る衛生洗浄装置の構成において、気体を加熱する加熱手段と、加熱手段により加熱された温風を噴出する温風噴出口とをさらに備えたものである。
【００４１】
この場合、気体が加熱手段により加熱され、加熱手段により加熱された温風が温風噴出口から噴出される。それにより、被乾燥面に対して加圧された気体とともに温風を吹き付けることができる。その結果、より短時間で効率よく被乾燥面の乾燥を行うことができる。
【００４２】
（第１５の発明）
第１５の発明に係る衛生洗浄装置は、第８〜第１４のいずれかの発明に係る衛生洗浄装置の構成において、温風噴出口は、便座部の内側両側部に設けられたものである。
【００４３】
この場合、温風噴出口が便座部の内側両側部に設けられるので、温風噴出口の位置と気体噴出手段の前進時の開口部の位置との距離を短くすることができる。その結果、温風噴出口から噴出された温風を気体噴出手段の開口部より吸引して被乾燥面に吹き付けることができる。その結果、より短時間で効率よく被乾燥面の乾燥を行うことができる。
【００４４】
【発明の実施の形態】
以下、本発明の実施の形態に係る衛生洗浄装置について説明する。
【００４５】
図１は、本発明の実施の形態に係る衛生洗浄装置を便器に装着した状態を示す斜視図である。
【００４６】
図１に示すように、便器６００上に衛生洗浄装置１００が装着される。タンク７００は、水道配管に接続されており、便器６００内に洗浄水を供給する。
【００４７】
衛生洗浄装置１００は、本体部２００、遠隔操作装置３００、便座部４００および蓋部５００により構成される。
【００４８】
本体部２００には、便座部４００および蓋部５００が開閉自在に取り付けられる。さらに、本体部２００には、乾燥ノズル１を含む乾燥装置とノズル部３０を含む洗浄水供給装置とが設けられるとともに、制御部が内蔵されている。本体部２００の制御部は、後述するように遠隔操作装置３００により送信される信号に基いて、乾燥装置および洗浄水供給装置を制御する。さらに、本体部２００の制御部は、本体部２００に設けられた脱臭装置（図示せず）等の制御も行う。
【００４９】
図２は図１の遠隔操作装置３００の一例を示す模式図である。
図２に示すように、遠隔操作装置３００は、複数のＬＥＤ（発光ダイオード）３０１、複数の調整スイッチ３０２、おしりスイッチ３０３、刺激スイッチ３０４、停止スイッチ３０５、ビデスイッチ３０６、乾燥スイッチ３０７および脱臭スイッチ３０８を備える。
【００５０】
使用者により調整スイッチ３０２、おしりスイッチ３０３、刺激スイッチ３０４、停止スイッチ３０５、ビデスイッチ３０６、乾燥スイッチ３０７および脱臭スイッチ３０８が押下操作される。それにより、遠隔操作装置３００は、後述する本体部２００に設けられた制御部に所定の信号を無線送信する。
【００５１】
本体部２００の制御部は、遠隔操作装置３００より無線送信される所定の信号を受信し、洗浄水供給装置および乾燥装置を制御する。
【００５２】
例えば、使用者が、おしりスイッチ３０３またはビデスイッチ３０６を押下操作することにより、図１の本体部２００のノズル部３０が移動して洗浄水が人体の被洗浄面に対して噴出される。刺激スイッチ３０４を押下操作することにより、図１の本体部２００のノズル部３０から人体の局部に刺激を与える洗浄水が噴出される。
【００５３】
また、乾燥スイッチ３０７を押下操作することにより、図１の乾燥装置の乾燥ノズル１が移動して温風および圧縮空気が洗浄後の人体の被乾燥面に対して噴出される。停止スイッチ３０５を押下操作することにより、乾燥装置の乾燥ノズル１からの温風および圧縮空気の噴出が停止する。
【００５４】
さらに、脱臭スイッチ３０８を押下操作することにより、衛生洗浄装置１００の脱臭装置（図示せず）により周辺空気の脱臭が行われる。
【００５５】
調整スイッチ３０２は、風量調整スイッチ３０２ａ，３０２ｂ、温度調整スイッチ３０２ｃ，３０２ｄおよびノズル位置調整スイッチ３０２ｅ，３０２ｆを含む。
【００５６】
使用者が、ノズル位置調整スイッチ３０２ｅ，３０２ｆを押下操作することにより図１の衛生洗浄装置１００の乾燥装置の乾燥ノズル１の位置が変化し、温度調整スイッチ３０２ｃ，３０２ｄを押下操作することにより、乾燥装置の乾燥ノズル１より噴出される温風の温度が変化する。また、風量調整スイッチ３０２ａ，３０２ｂを押下操作することにより、乾燥装置の乾燥ノズル１より噴出される温風および圧縮空気の風量が変化する。調整スイッチ３０２の押下操作に伴って複数のＬＥＤ（発光ダイオード）３０１が点灯する。
【００５７】
以下、本体部２００内に設けられた乾燥装置について説明を行う。図３は図１の衛生洗浄装置における乾燥装置の構成を示す模式図である。
【００５８】
図３に示す本体部２００の乾燥装置は、乾燥ノズル１、エアーポンプ２、蓄圧タンク３、電磁弁４、制御部５、モータ６、エアーファン１０、ヒータ１１および温風出口１２を含む。
【００５９】
本体部２００の乾燥装置の制御部５は、エアーポンプ２、電磁弁４、モータ６、エアーファン１０およびヒータ１１の動作を制御する。
【００６０】
制御部５は、遠隔操作装置３００の乾燥スイッチ３０７の押下操作による信号を受信すると、乾燥ノズル１および温風出口１２からそれぞれ圧縮空気および温風を噴出させるための制御を開始する。
【００６１】
まず、制御部５はエアーポンプ２に対し動作開始の指示を与える。エアーポンプ２は、制御部５より与えられる動作開始の指示に応じて周囲の空気を収集し、圧縮空気として蓄圧タンク３に供給する。蓄圧タンク３は、エアーポンプ２より供給される空気を蓄積する。また、蓄圧タンク３は、内蔵された圧力ゲージ（図示せず）により測定された圧力が所定の上限値を上回った場合に圧力上限情報を制御部５に与える。制御部５は、蓄圧タンク３より与えられた圧力上限情報に応じて、エアーポンプ２に停止指示を与える。さらに、蓄圧タンク３は、圧力ゲージにより測定された圧力が所定の下限値を下回った場合に圧力下限情報を制御部５に与える。制御部５は、蓄圧タンク３より与えられた圧力下限情報に応じて、エアーポンプ２に動作開始の指示を与える。このようにして、蓄圧タンク３内の圧力が所定の上限値と下限値との範囲内に調整される。
【００６２】
続いて、制御部５は、電磁弁４に対し開閉動作の指示を与える。電磁弁４の開閉動作については後述する。電磁弁４は、一定の間隔で開閉動作を行い、蓄圧タンク３に蓄積された圧縮空気をパルス状に断続的に乾燥ノズル１に供給する。乾燥ノズル１は、電磁弁４より供給される圧縮空気を後述する噴出口より人体の被乾燥面に対して噴出する。
【００６３】
また、制御部５は、モータ６に回転指示を与える。モータ６は、制御部５より与えられる回転指示に応じて回転し、乾燥ノズル１の進退動作を行う。この乾燥ノズル１の進退動作については後述する。
【００６４】
一方、制御部５は、エアーファン１０に対し動作開始の指示を与えるとともに、ヒータ１１に加熱の指示を与える。エアーファン１０は、制御部５より与えられる動作開始の指示に応じて周囲の空気を収集し、ヒータ１１に供給する。ヒータ１１は、制御部５の加熱の指示に応じてエアーファン１０より供給される空気を加熱し、温風として温風出口１２に供給する。また、ヒータ１１は、温風出口１２に供給する温風の温度値を制御部５に与える。制御部５は、ヒータ１１より与えられた温度値に応じて温風を最適な温度に加熱するためにフィードバック制御を行う。温風出口１２から噴出された温風は図１における温風入口１３、温風ガイド１４および温風吹出口１５を経由して人体の被乾燥面に対して噴出される。
【００６５】
図４は本体部２００内に設けられた乾燥装置の一例を示す模式図である。
図４（ａ）は本体部２００の乾燥装置を正面より透過視した図を示し、図４（ｂ）は図４（ａ）の本体部２００の乾燥装置の模式的断面図である。
【００６６】
本体部２００のケーシング２０１内にエアーポンプ２、蓄圧タンク３、電磁弁４、エアーファン１０およびヒータ１１が内蔵されている。ケーシング２０１の前面に温風出口１２が設けられ、ケーシング２０１内から前方に突出するように乾燥ノズル１およびノズル部３０が設けられている。
【００６７】
図４（ａ）に示すようにエアーファン１０により収集された空気は、ヒータ１１により温められ、温風出口１２より噴出される。
【００６８】
一方、エアーポンプ２により圧縮された空気は、蓄圧タンク３に蓄積される。そして、電磁弁４の開閉動作により蓄圧タンク３に蓄積された圧縮空気が、乾燥ノズル１より噴出される。
【００６９】
また、図４（ｂ）に示すように、図２の遠隔操作装置３００のノズル位置調整スイッチ３０２ｅ，３０２ｆが押下操作されてモータ６が回転動作を行った場合、乾燥ノズル１は、矢印Ｚの方向に進退移動し人体の被乾燥面に接近して圧縮空気を噴出させる。
【００７０】
図５は図３および図４に示すエアーポンプ２の構造の一例を示す模式図である。
【００７１】
図５において、エアーポンプ２のハウジング２３０の底部には、空気取込口ＩＡが設けられ、ハウジング２３０の一側部には、空気送出口ＯＡが設けられる。この空気送出口ＯＡは、図３または図４の蓄圧タンク３に接続される。
【００７２】
ハウジング２３０内において、モータ２１５が保持板２１３に保持され、保持板２１３はハウジング２３０の内側上面に取り付けられた固定板２１４によりバネ２１１を介して取り付けられる。さらに、ハウジング２３０の内壁に、吸音材２１２が取り付けられている。したがって、モータ２１５の音および振動がエアーポンプ２の外部に伝達されない。
【００７３】
また、モータ２１５の回転軸にはギア２２０が取り付けられ、ギア２２０にギア２１０が噛み合っている。ギア２１０には、クランクシャフト２１７の一端が回動可能に取り付けられ、クランクシャフト２１７の他端には、圧縮ケース２１６内のピストン２１８が取り付けられている。
【００７４】
モータ２１５が、制御部５より与えられる動作開始指示に応じて回転軸を回転させることにより、回転軸に取り付けられたギア２２０が回転し、それに伴ってギア２１０が回転することにより、クランクシャフト２１７が矢印Ｙの方向に往復運動する。その結果、圧縮ケース２１６内のピストン２１８が、空気を圧縮し、空気送出口ＯＰより蓄圧タンク３に圧縮された空気を供給する。
【００７５】
図６は電磁弁４の開閉動作により乾燥ノズル１に供給される圧縮空気の圧力変化を示す図である。縦軸は電磁弁４から乾燥ノズル１に供給される圧縮空気の吐出圧力であり、横軸は時間である。
【００７６】
パルスの時間幅ＯＣは電磁弁４が開放されて圧縮空気が乾燥ノズル１に供給される時間であり、パルスの時間間隔ＦＣは電磁弁４が閉塞されて圧縮空気が乾燥ノズル１に供給されない時間である。
【００７７】
図６に示すように、電磁弁４は所定時間ごとに開閉を周期的に繰り返し、乾燥ノズル１に圧縮空気をパルス状に供給する。例えば、パルスの時間間隔ＦＣを９４０ｍｓｅｃ、パルスの時間幅ＯＣを６０ｍｓｅｃに設定すると、６０ｍｓｅｃの間は電磁弁４が開放され、９４０ｍｓｅｃの間は電磁弁４が閉塞される。それにより、乾燥ノズル１から断続的な圧縮空気を人体の被乾燥面に対して噴出させることが可能となる。
【００７８】
パルスの時間間隔ＦＣを大きくすると圧縮空気が供給される間隔が大きくなるため風量は減少し、パルスの時間間隔ＦＣを小さくすると圧縮空気が供給される間隔が小さくなるため風量は増加する。また、パルスの時間幅ＯＣを大きくすると圧縮空気が供給される時間が大きくなるため風量は増加し、パルスの時間幅ＯＣを小さくすると圧縮空気が供給される時間が小さくなるため風量は減少する。
【００７９】
図２の遠隔操作装置の風量調整スイッチ３０２ａ，３０２ｂを押下操作することにより、パルスの時間幅ＯＣとパルスの時間間隔ＦＣの少なくとも一方を制御して乾燥ノズル１から噴出される圧縮空気の風量を変化させることができる。たとえば、パルスの周期を一定にし、パルスのデューティ比（パルスの１周期に対するパルスの時間幅）を変化させることにより風量を制御することができる。
【００８０】
続いて、図７は乾燥ノズル１を説明するための図である。
図７（ａ）は乾燥ノズル１の外観の一例を示す模式的平面図であり、図７（ｂ）は乾燥ノズル１の模式的断面図である
図７（ａ）に示すように、乾燥ノズル１は圧縮空気供給部１１１および圧縮空気噴出部１１２により構成され、圧縮空気供給部１１１の先端に圧縮空気噴出部１１２がＴ字状に一体的に設けられている。圧縮空気供給部１１１および圧縮空気噴出部１１２は内部に圧縮空気の通路を有する。圧縮空気噴出部１１２の上面には、圧縮空気噴出部１１２の長手方向に沿って複数の噴出口１１０が設けられている。また、圧縮空気噴出部１１２の上面には複数の噴出口１１０から噴出される圧縮空気の周囲を取り囲むように周壁部１２１が設けられる。さらに、周壁部１２１の下端には、複数の空気吸入口１２０が形成される。
【００８１】
次に乾燥ノズル１の動作について説明する。図７（ｂ）に示すように、蓄圧タンク３から電磁弁４を介して圧縮空気が圧縮空気供給部１１１に断続的に供給され、噴出口１１０から人体の被乾燥面に対して噴出される。
【００８２】
この場合、噴出口１１０より噴出される圧縮空気が、周壁部１２１に取り囲まれた空間を通って外部に高速で噴出されるため、周壁部１２１内の気圧が低下し、外部の空間に対して負圧になる。そのため、外部から周壁部１２１に設けられた空気吸入口１２０を通して空気が周壁部１２１の内部に吸引され、噴出口１１０から噴出される圧縮空気と混合される。それにより、多量の空気が被乾燥面に対して噴出される。
【００８３】
図８は図７の乾燥ノズル１の動作を示す模式図である。
図８（ａ）は遠隔操作装置３００の乾燥スイッチ３０７が押下操作される前の本体部２００のケーシング２０１内の模式的断面を示し、図８（ｂ）は遠隔操作装置３００の乾燥スイッチ３０７が押下操作された後の本体部２００のケーシング２０１内の模式的断面を示し、図８（ｃ）は本体部２００の乾燥装置の温風出口１２より噴出される温風の状態の模式的正面図を示し、図８（ｄ）は本体部２００の乾燥装置の温風出口１２より噴出される温風の状態の模式的断面を示す。
【００８４】
図８（ａ）に示すように、遠隔操作装置３００の乾燥スイッチ３０７が押下操作される前の乾燥ノズル１は、本体部２００のケーシング２０１内に収納されている。そして、図８（ｂ）に示すように、遠隔操作装置３００の乾燥スイッチ３０７が押下操作された場合、制御部５はモータ６に回転指示を与える。モータ６は、回転指示に応じて乾燥ノズル１を本体部２００のケーシング２０１内より矢印Ｚの方向に突出させる。
【００８５】
続いて、図８（ｃ）に示すように、温風出口１２よりヒータ１１によって加熱された温風ＯＰが噴出される。この場合、図８（ｄ）に示すように、乾燥ノズル１の周囲には、温風出口１２より噴出された温風ＯＰが充満する。
【００８６】
その結果、乾燥ノズル１は、空気吸入口１２０から温風ＯＰを吸引するとともに、蓄圧タンク３から供給された圧縮空気と混合させて噴出させることができる。さらに、乾燥ノズル１が前後方向に移動することにより被乾燥面の全体に圧縮空気を噴出することができる。また、乾燥ノズル１に複数の噴出口１１０が設けられているので、乾燥ノズル１が矢印Ｚの方向に移動した場合、圧縮空気を人体の被乾燥面の広い面積に噴出することができる。その結果、被乾燥面を適度な温度の空気により効率良く乾燥させることができる。
【００８７】
また、図９（ａ）は便座部４００の温風出口の他の例を示す平面図であり、図９（ｂ）は図９（ａ）の温風出口の１つを示す側面図である。なお、図４の例における温風出口１２の位置をハッチングで示す。
【００８８】
図９（ａ）に示すように、温風出口１２αは、便座部４００の内側両側部に設けられている。したがって、温風出口１２αは乾燥ノズル１が最も突出した場合に乾燥ノズル１の空気吸入口１２０と最も接近する位置にある。
【００８９】
すなわち、温風出口１２αから乾燥ノズル１までの距離Ｌ２は、温風出口１２から乾燥ノズル１までの距離Ｌ１よりも短くなる。
【００９０】
したがって、温風出口１２αから噴出される温風は、確実に乾燥ノズル１に到達できる。その結果、図９（ｂ）に示すように、乾燥ノズル１は、温風出口１２αから効率よく多くの温風ＯＰを吸引することができ、さらに乾燥ノズル１は、蓄圧タンク３に蓄積された圧縮空気と混合して被乾燥面に対して多量の温風を噴出させることができる。
【００９１】
以上のことより、本発明の第１の実施の形態に係る衛生洗浄装置においては、洗浄後の被洗浄面に付着した洗浄水を乾燥させる被乾燥面に対して、乾燥装置が、温風出口１２から効率よく多量の温風ＯＰを吸引するとともに、蓄圧タンク３に蓄積された圧縮空気を噴出させることができる。そのため、短時間で効率よく人体の局部を乾燥させることができる。また、乾燥するために費やす時間を減少させることができるため、局部に高温の温風を吹付けることにより起きる炎症を防止することができる。
【００９２】
本実施の形態においては、エアーポンプ２、蓄圧タンク３および電磁弁４が加圧手段に相当し、乾燥ノズル１が気体噴出手段およびノズルに相当し、噴出口１１０が噴出口に相当し、周壁部１２１が周壁部に相当し、空気吸入口１２０が開口部に相当し、モータ１３が切替手段および回転動作手段に相当し、ノズル部３０が洗浄水噴出手段に相当し、モータ６が進退動作手段に相当し、圧縮空気供給部１１１が圧縮気体供給部に相当し、圧縮空気噴出部１１２が圧縮気体噴出部に相当し、ヒータ１１が加熱手段に相当し、温風出口１２および温風出口１２αが温風噴出口に相当する。
【００９３】
（第２の実施の形態）
次に、本発明の第２の実施の形態に係る衛生洗浄装置について説明する。
【００９４】
第２の実施の形態に係る衛生洗浄装置が、第１の実施の形態に係る衛生洗浄装置と異なるのは、以下の点である。
【００９５】
図１０は第２の実施の形態に係る衛生洗浄装置における乾燥装置の構成を示す模式図である。
【００９６】
図１０に示す本体部２００内の乾燥装置は、乾燥ノズル１ａ、エアーポンプ２、蓄圧タンク３、電磁弁４、制御部５、モータ６，１３、エアーファン１０、ヒータ１１および温風出口１２を含む。
【００９７】
本体部２００の乾燥装置の制御部５は、エアーポンプ２、電磁弁４、モータ６，１３、エアーファン１０およびヒータ１１の動作を制御する。
【００９８】
制御部５は、モータ６に回転指示を与える。モータ６は、制御部５より与えられる回転指示に応じて回転し、乾燥ノズル１ａの進退動作を行う。さらに、制御部５は、モータ１３に回転指示を与える。モータ１３は、制御部５より与えられる回転指示に応じて回転し、乾燥ノズル１ａの回転動作を行う。この乾燥ノズル１ａの進退動作および回転動作については後述する。
【００９９】
図１１は本体部２００内に設けられた乾燥装置の一例を示す模式図である。
図１１（ａ）は本体部２００の乾燥装置を正面より透過視した図を示し、図１１（ｂ）は図１１（ａ）の本体部２００の乾燥装置の模式的断面図である。
【０１００】
本体部２００のケーシング２０１内にエアーポンプ２、蓄圧タンク３、電磁弁４、エアーファン１０およびヒータ１１が内蔵されている。ケーシング２０１の前面に温風出口１２が設けられ、ケーシング２０１内から前方に突出するように乾燥ノズル１ａおよびノズル部３０が設けられている。
【０１０１】
図１１（ａ）に示すようにエアーファン１０により収集された空気は、ヒータ１１により温められ、温風出口１２より噴出される。
【０１０２】
一方、エアーポンプ２により圧縮された空気は、蓄圧タンク３に蓄積される。そして、電磁弁４の開閉動作により蓄圧タンク３に蓄積された圧縮空気が、乾燥ノズル１ａより断続的に噴出される。
【０１０３】
また、図２の遠隔操作装置３００のノズル位置調整スイッチ３０２ｅ，３０２ｆを押下操作することにより、乾燥ノズル１は、図１１（ｂ）に示すように、モータ６の回転動作により矢印Ｚの方向に進退し、人体の被乾燥面に接近して圧縮空気を噴出させる。さらに、制御部５は、一定時間後、乾燥ノズル１ａに取り付けられたモータ１３に回転動作の指示を与える。モータ１３は、制御部５より与えられる回転動作の指示に応じて回転し、乾燥ノズル１ａの回転動作を行う。この乾燥ノズル１ａの進退動作および回転動作の詳細については後述する。
【０１０４】
続いて、図１２は乾燥ノズル１ａを説明するための図である。
図１２（ａ）は乾燥ノズル１ａの外観の一例を示す模式的平面図であり、図７（ｂ）は乾燥ノズル１ａの模式的断面図である。
【０１０５】
図１２（ａ）に示すように、乾燥ノズル１ａは、圧縮空気供給部１１１ａおよび円筒状の圧縮空気噴出部１１２ａにより構成される。図１２（ｂ）に示すように、圧縮空気供給部１１２ａは、圧縮空気供給部１１１ａにＬ字状に連通している。圧縮空気供給部１１１ａおよび圧縮空気噴出部１１２ａは、内部に圧縮空気の通路を有する。圧縮空気噴出部１１２ａの先端には噴出口１１０ａが設けられている。圧縮空気噴出部１１２ａの先端は円筒状に形成され、一定の間隙をあけて圧縮空気噴出部１１２ａの先端を取り囲むように円筒状の周壁部１２１ａが形成される。以下、圧縮空気噴出部１１２ａの先端側の周壁部１２１ａの一開口部を空気噴出口１３０ａと呼び、周壁部１２１ａの他開口部を空気吸入口１３０ｂと呼ぶ。
【０１０６】
次に乾燥ノズル１ａの動作について説明する。図７（ｂ）に示すように、噴出口１１０ａから圧縮空気が、人体の被乾燥面Ｍに対して噴出される。
【０１０７】
この場合、噴出口１１０ａより噴出される圧縮空気が、周壁部１２１ａに取り囲まれた空間を通って外部に高速で噴出されるため、周壁部１２１ａ内の気圧が低下し、外部の空間に対して負圧になる。そのため、外部から周壁部１２１ａの空気吸引口１３０ｂを通して空気が周壁部１２１ａの内部に吸引され、噴出口１１０ａから噴出される圧縮空気と混合される。それにより、多量の空気が被乾燥面に対して空気噴出口１３０ａより噴出される。
【０１０８】
図１３は図１２の乾燥ノズル１ａの動作を示す模式図である。
図１３（ａ）は遠隔操作装置３００の乾燥スイッチ３０７が押下操作される前の本体部２００のケーシング２０１内の模式的断面を示し、図１３（ｂ）は遠隔操作装置３００の乾燥スイッチ３０７が押下操作された後の本体部２００のケーシング２０１内の模式的断面を示し、図１３（ｃ）は図１３（ｂ）の外観の一例を示し、図１３（ｄ）および図１３（ｅ）はモータ１３の働きにより乾燥ノズル１ａが回転する状態を示し、図１３（ｆ）はモータ１３の働きにより乾燥ノズル１ａが１８０度回転した後の状態を示す。
【０１０９】
まず、図１３（ａ）に示すように、遠隔操作装置３００の乾燥スイッチ３０７が押下操作される前には、乾燥ノズル１ａは、本体部２００のケーシング２０１内に収納されている。そして、遠隔操作装置３００の乾燥スイッチ３０７が押下操作された場合、制御部５はモータ６に回転指示を与える。モータ６は回転指示に応じて図１３（ｂ）および図１３（ｃ）に示すように、乾燥ノズル１ａを、本体部２００のケーシング２０１内より矢印Ｚの方向に突出させる。
【０１１０】
乾燥ノズル１ａが所定の位置まで突出した後に、制御部５は、図１３（ｂ）および図１３（ｃ）に示すように、噴出口１１０ａより空気を下方向（被洗浄面と逆方向）に噴出させる。続いて、一定時間経過後、制御部５はモータ１３に回転指示を与える。モータ１３は回転指示に応じて、図１３（ｄ）および図１３（ｅ）に示すように、乾燥ノズル１ａを矢印Ｙの方向に１８０度回転させる。そして、制御部５は、図１３（ｆ）に示すように、噴出口１１０ａより空気を上方向（被洗浄面Ｍの方向）に噴出させる。
【０１１１】
図１４は図１２の乾燥ノズル１ａを回転させた場合の効果を説明する図である。図１４（ａ）は回転させる前の乾燥ノズル１ａの状態を示し、図１４（ｂ）は１８０度回転させた後の乾燥ノズル１ａの状態を示す。
【０１１２】
まず、図１４（ａ）に示すように、空気吸入口１３０ｂが被洗浄面Ｍに対向するように乾燥ノズル１ａが回転する。それにより、乾燥ノズル１ａは、噴出口１１０ａから被乾燥面Ｍと逆方向に向けて圧縮空気の噴出が行われる。
【０１１３】
この場合、噴出口１１０ａより噴出される圧縮空気が、周壁部１２１ａに取り囲まれた空間を通って外部に高速で噴出されるため、周壁部１２１ａ内の気圧が低下し、外部の空間に対して負圧になる。そのため、外部から周壁部１２１ａに設けられた空気吸入口１３０ｂを通して空気が周壁部１２１ａの内部に吸引され、噴出口１１０ａから噴出される圧縮空気と混合される。それにより、周壁部１２１ａの空気吸入口１３０ｂより被乾燥面Ｍに付着した水滴が吸入され、空気噴出口１３０ａより排出される。
【０１１４】
次に、図１４（ｂ）に示すように、空気吸入口１３０ａが被乾燥面Ｍに対向するように乾燥ノズル１ａが回転する。それにより、乾燥ノズル１ａの噴出口１１０ａから被乾燥面Ｍに対して上方向に向けて圧縮空気の噴出が行われる。
【０１１５】
この場合、噴出口１１０ａより噴出される圧縮空気が、周壁部１２１ａに取り囲まれた空間を通って外部に高速で噴出されるため、周壁部１２１ａ内の気圧が低下し、外部の空間に対して負圧になる。そのため、外部から周壁部１２１ａに設けられた空気吸入口１３０ｂを通して空気が周壁部１２１ａの内部に吸引され、噴出口１１０から噴出される圧縮空気と混合される。それにより、多量の空気が空気噴出口１３０ａから被乾燥面Ｍに対して噴出される。
【０１１６】
したがって、短時間で効率よく人体の局部を乾燥させることができる。また、乾燥するために費やす時間を減少させることができるため、人体の局部に高温の温風を吹付けることにより起きる炎症を防止することができる。
【０１１７】
図１５は図１２に示す乾燥ノズル１の他の例を示す模式的断面図である。
図１５に示すように、乾燥ノズル１ｂは、圧縮空気供給部１１１ｂおよび圧縮空気噴出部１１２ｂにより構成される。圧縮空気噴出部１１２ｂは、圧縮空気供給部１１１ｂにＬ字状に連通している。圧縮空気供給部１１１ｂおよび圧縮空気噴出部１１２ｂは、内部に圧縮空気の通路を有する。圧縮空気噴出部１１２ｂの先端には噴出口１１０ａが設けられている。圧縮空気噴出部１１２ｂの先端は円筒状により形成され、一定の間隙をあけて圧縮空気噴出部１１２ｂの先端を取り囲むように円筒状の周壁部１２１ｂが形成される。周壁部１２１ｂの噴出口１１０ａ側の開口は、平面部１２１ｃにより閉塞されている。また、周壁部１２１ｂには、周壁部１２１ｂの空気吸入口１３０ｂ側に連通する気体流路１２２ｂが形成される。周壁部１２１ｂ内の平面部１２１ｃには、水分を吸収するためのスポンジ１６０が設けられる。さらに、気体流路１２２ｂの空気吸入口１３０ｂ側には、空気噴出口１３０ａが形成される。
【０１１８】
次に、乾燥ノズル１ｂの動作について説明する。噴出口１１０ａからは、蓄圧タンク３から電磁弁４を介して供給された圧縮空気が噴出される。噴出口１１０ａは、被乾燥面Ｍと逆方向に向いている。
【０１１９】
この場合、噴出口１１０ａより噴出される圧縮空気が、周壁部１２１ｂに取り囲まれた空間を通って外部に高速で噴出されるため、周壁部１２１ｂ内の気圧が低下し、外部の空間に対して負圧になる。そのため、外部から周壁部１２１ｂに設けられた空気吸入口１３０ｂを通して空気が周壁部１２１ｂの内部に吸引され、噴出口１１０ａから噴出される圧縮空気と混合される。それにより、周壁部１２１ｂの空気吸入口１３０ｂより被乾燥面Ｍに付着した水滴を吸引することができる。そして、空気吸入口１３０ｂを通して吸引された空気の水分をスポンジ１６０により除去することができる。さらに、スポンジ１６０により水分を除去され、乾燥した空気は、気体流路１２２ｂを通して被乾燥面Ｍに対して噴出される。
【０１２０】
それにより、被乾燥面Ｍの水滴を除去するとともに、被乾燥面Ｍに乾燥した圧縮空気を噴出させることができるので、より短時間で被洗浄面Ｍの乾燥を行うことができる。
【０１２１】
したがって、より短時間で効率よく人体の局部を乾燥させることができる。また、乾燥するために費やす時間を減少させることができるため、人体の局部に高温の温風を吹付けることにより起きる炎症を防止することができる。
【０１２２】
図１６は図１２に示す乾燥ノズル１の他の例を示す模式的断面図である。
図１６に示す乾燥ノズル１ｃが図１５に示す乾燥ノズル１ｂと異なるのは、以下の点である。
【０１２３】
図１６の乾燥ノズル１ｃにおいては、気体流路１２２ｂの一部にヒータ１７０が設けられている。したがって、噴出口１１０ａから噴出された圧縮空気が、気体流路１２２ｂを流通するとき、ヒータ１７０の働きにより加熱され、加熱された空気が周壁部１１２ｂの空気噴出口１３０ａより被乾燥面Ｍに対して噴出される。
【０１２４】
それにより、図１６の乾燥ノズル１ｃは、被乾燥面Ｍの水滴を除去するとともに、被乾燥面Ｍに加熱された圧縮空気を噴出させることができるので、さらに短時間で被洗浄面Ｍの乾燥を行うことができる。
【０１２５】
したがって、さらに短時間で効率よく人体の局部を乾燥させることができる。また、乾燥するために費やす時間を減少させることができるため、人体の局部に高温の温風を吹付けることにより起きる炎症を防止することができる。
【０１２６】
本実施の形態においては、エアーポンプ２、蓄圧タンク３および電磁弁４が加圧手段に相当し、乾燥ノズル１が気体噴出手段およびノズルに相当し、噴出口１１０ａが噴出口に相当し、周壁部１２１ａ，１２１ｂが周壁部に相当し、空気吸入口１３０ｂが開口部に相当し、空気吸入口１３０ｂおよび空気噴出口１３０ａが間隙に相当し、モータ１３が切替手段および回転動作手段に相当し、スポンジ１６０が水分除去手段および水分吸収部材に相当し、ヒータ１７０が水分除去手段および加熱装置に相当し、気体流路１２２ｂが気体流路に相当し、ノズル部３０が洗浄水噴出手段に相当し、モータ６が進退動作手段に相当し、圧縮空気供給部１１１ａが圧縮気体供給部に相当し、圧縮空気噴出部１１２ａが圧縮気体噴出部に相当し、ヒータ１１が加熱手段に相当し、温風出口１２および温風出口１２αが温風噴出口に相当する。
【０１２７】
【発明の効果】
本発明によれば、噴出口から気体が噴出されることにより周壁部内に負圧が発生し、その負圧により周壁部内に開口部から外気が吸入され、噴出口から噴出された気体とともに被乾燥面に吹き付けられる。その結果、多量の気体を被乾燥面に対して吹き付けることができるので、短時間で効率よく被乾燥面を乾燥させることができる。また、乾燥するために費やす時間を減少させることができるため、人体の局部に高温の温風を吹付けることにより起きる炎症を防止することができる。
【図面の簡単な説明】
【図１】本発明の実施の形態に係る衛生洗浄装置を便器に装着した状態を示す斜視図
【図２】図１の遠隔操作装置の一例を示す模式図
【図３】図１の衛生洗浄装置における乾燥装置の構成を示す模式図
【図４】本体部内に設けられた乾燥装置の一例を示す模式図
【図５】図３および図４に示すエアーポンプの構造の一例を示す模式図
【図６】電磁弁の開閉動作により乾燥ノズルに供給される圧縮空気の圧力変化を示す図
【図７】乾燥ノズルを説明するための図
【図８】図７の乾燥ノズルの動作を示す模式図
【図９】（ａ）は便座部の温風の通路を示す図であり、（ｂ）は温風出口を便座部の側部に設けた状態を示す図
【図１０】第２の実施の形態に係る衛生洗浄装置における乾燥装置の構成を示す模式図
【図１１】本体部内に設けられた乾燥装置の一例を示す模式図
【図１２】乾燥ノズルを説明するための図
【図１３】図１２の乾燥ノズルの動作を示す模式図
【図１４】図１２の乾燥ノズルを回転させた場合の効果を説明する図
【図１５】図１２に示す乾燥ノズルの他の例を示す模式的断面図
【図１６】図１２に示す乾燥ノズルの他の例を示す模式的断面図
【図１７】従来の乾燥装置を備えた衛生洗浄装置の一例を示す模式的断面図
【符号の説明】
１　乾燥ノズル
２　エアーポンプ
３　蓄圧タンク
４　電磁弁
６，１３　モータ
１１　ヒータ
１２，１２α　温風出口
３０　ノズル部
１１０，１１０ａ　噴出口
１１１，１１１ａ　圧縮空気供給部
１１２，１１２ａ　圧縮気体噴出部
１２１，１２１ａ，１２１ｂ　周壁部
１２２ｂ　気体流路
１２０，１３０ｂ　空気吸入口
１３０ａ　空気噴出口
１６０　スポンジ
１７０　ヒータ
【図１】
2004092322.tif 000003
【図２】
2004092322.tif 000004
【図３】
2004092322.tif 000005
【図４】
2004092322.tif 000006
【図５】
2004092322.tif 000007
【図６】
2004092322.tif 000008
【図７】
2004092322.tif 000009
【図８】
2004092322.tif 000010
【図９】
2004092322.tif 000011
【図１０】
2004092322.tif 000012
【図１１】
2004092322.tif 000013
【図１２】
2004092322.tif 000014
【図１３】
2004092322.tif 000015
【図１４】
2004092322.tif 000016
【図１５】
2004092322.tif 000017
【図１６】
2004092322.tif 000018
【図１７】
2004092322.tif 000019